(57)【要約】【課題】再使用できない電池の回収と残容量のある電池の再使用を容易にして、残容量チェック後の電池全体の効率的運用を図ることを目的とする。【解決手段】チェッカー部（２）で残容量を測定した電池を当該残容量の大きさの程度に応じて別々に収納するための、再使用できない回収電池の収納部（１ｃ）と、再使用可能な電池の収納部（１ａ，１ｂ）とを設けた。再使用可能な電池の収納部（１ａ，１ｂ）は残容量測定結果の高レベル範囲，中レベル範囲に応じた二つの部分に区分けされている。各収納部に対応したＬＥＤ（３ａ〜３ｃ）および再使用表記部分（３ｄ，３ｅ），回収表記部分（３ｆ）を設け、収納部（１ａ，１ｂ）にはそこへの収納電池の再使用に適した機器を例示している。【選択図】  図１
0003125337.tif 000002
【実用新案登録請求の範囲】
【請求項１】
電池の残容量を調べるチェッカー部と、
前記チェッカー部で求めた前記残容量の大きさが再使用範囲外となるときの当該大きさに対応して、このときの対象電池が回収されるべきこと、および当該対象電池の収納先をそれぞれ利用者に示す態様で、設けられた回収表示部と、
前記チェッカー部で求めた前記残容量の大きさが再使用範囲内となるときの当該大きさに対応して、このときの対象電池が再使用できること、および当該対象電池の収納先をそれぞれ利用者に示す態様で、設けられた再使用表示部と、
前記回収表示部によって特定される部分に設けられた回収電池収納部と、
前記再使用表示部によって特定される部分に設けられた再使用電池収納部と、
を備えていることを特徴とする電池収納ボックス。
【請求項２】
前記再使用表示部は、前記チェッカー部の出力の大きさの範囲によって区分けされており、
前記再使用電池収納部は、この区分けされた再使用表示部のそれぞれに対応する形で複数設けられている、
ことを特徴とする請求項１記載の電池収納ボックス。
【請求項３】
前記再使用電池収納部または前記再使用表示部は、区分けされた再使用表示部に基づいて複数の再使用電池収納部に選択的に入れられる電池の使用対象機器を例示した態様のものである、
ことを特徴とする請求項２記載の電池収納ボックス。
【請求項４】
前記再使用電池収納部は、電池の入れ部と取出し部とこれらの間の収納空間域を有して、当該入れ部から収納された電池がその収納順に当該取出し部から取り出される形態のものである、
ことを特徴とする請求項１乃至３のいずれかに記載の電池収納ボックス。
【請求項５】
前記再使用電池収納部は、それぞれ電池の入れ部および取出し部とこれらの間の収納空間域に対する天板部分とを有して、当該入れ部から収納された電池がその収納順に当該取出し部から取り出される形態のものであり、
前記天板部分は、それぞれの表面に、区分けされた前記再使用表示部を設けるとともに前記使用対象機器を例示した態様のものである、
ことを特徴とする請求項３記載の電池収納ボックス。
【考案の詳細な説明】
【技術分野】
【０００１】
本考案は、電池収納ボックスに関し、特に乾電池の残容量（電圧，電流など）に応じて、使用済みで回収対象（ごみ）となる場合の回収電池収納部と、まだ再使用できる場合の再使用電池収納部とを設け、かつ、それぞれの収納部に回収表示部または再使用表示部を対応させた電池収納ボックスに関する。
【０００２】
電池（乾電池）は電気機器，電子機器などをはじめとする各種機器に使用されており、その使用の程度や時間の経過とともに電圧が低下していく。
【０００３】
一般に、利用者は、容量低下のため使用機器が不意に動作しなくなるのを避けるため、また、消費電力が大きな機器が動作しなくなった場合にそこで用いた電池を別の小消費電力の機器で使用できないかなどと考え、使用機器から電池を取り外してその残容量を調べることが少なくない。
【０００４】
そこで、この残容量チェックを行った電池についての回収・廃棄と再使用とをより有効的なものにするためにも、チェック済みの電池を回収対象と再使用対象とに弁別して確実に保管することが望ましく、本考案はこのような要請に応えるものである。
【背景技術】
【０００５】
従来、電池の残容量を調べて回収するための容器に関連する先行技術文献情報としては下記のものがある。
【０００６】
ここでは、電池のレベルチェッカーと、このレベルチェッカーの出力である電池の残容量（電圧など）が低くてこれ以上使用できないときに当該電池を収納するポケットと、を備えた形の回収電池収納ポケットの構成をとっている。
【特許文献１】登録実用新案第３０２７８８４号公報
【考案の開示】
【考案が解決しようとする課題】
【０００７】
以上の回収電池収納ポケットは、レベルチェッカーで電池の残容量を調べた電池の中で再使用できないもののみを回収するものである。
【０００８】
すなわち、レベルチェッカーで調べたところまだ使用できる程度の残容量であった再使用電池はこの収納ポケットに整理されない。
【０００９】
利用者は、この再使用電池をすぐに各種電気機器などに取り付けることもあるが、後で使おうと考えて、これをとりあえず捨てることなしに無造作に取っておくこともしばしばである。
【００１０】
そして、このような形で利用者がすぐには再使用せずに何となく取っておかれた電池はどうしても散逸しやすく、最終的にはゴミとして処理されがちである。
【００１１】
そのため、再使用できない電池のみを収納対象とした上述の回収電池収納ポケットは、残容量チェック後の電池の効率的使用を積極的に図ることが難しいという問題点を有している。
【００１２】
そこで本考案では、残容量チェック後の電池の収納域として、再使用できない回収電池の収納部と再使用電池の収納部とを個々に設けるとともに、それぞれの収納部が回収電池，再使用電池のいずれのものであるかを利用者が認識するための表示部分も個々に設けて、残容量チェック後の電池全体の効率的運用を図ることを目的とする。
【００１３】
また、再使用電池収納部を対象電池の残容量の大きさに応じる形の複数域に区分けし、利用者用表示部分もこの複数域のそれぞれに対応するように設けて、再使用電池のより一層の効率的利用を図ることを目的とする。
【００１４】
また、再使用電池収納部の複数域またはこれに対応する個々の利用者用表示部分に、当該複数域のそれぞれに収納されるべき（所定の残容量を持つ）電池の使用対象機器（例えば懐中電灯，ラジオ，時計など）を例示して、電池再使用に際しての利便性を確保することを目的とする。
【００１５】
また、再使用電池収納部をいわゆる先入れ先出しとなる構造形態にし、先に当該収納部に入れられた再使用電池が長期にわたって放置されることのないようにして、再使用電池の未使用状態での容量低下をできるだけ抑えることを目的とする。
【課題を解決するための手段】
【００１６】
本考案は、以上の課題を次の構成からなる電池収納ボックスにより解決する。
（１）電池の残容量を調べるチェッカー部（例えば後述のチェッカー部２）と、
前記チェッカー部で求めた前記残容量の大きさが再使用範囲外となるときの当該大きさに対応して、このときの対象電池が回収されるべきこと、および当該対象電池の収納先をそれぞれ利用者に示す態様で、設けられた回収表示部（例えば図１，図２のＬＥＤ３ｃ,回収表記部分３ｆ，図３の測定結果表示部２ｃ，回収レベル表記部分２ｆ，回収表記部分３ｆ’，図４の測定結果表示部２ｃ，回収表記部分３ｆ’’，）と、
前記チェッカー部で求めた前記残容量の大きさが再使用範囲内となるときの当該大きさに対応して、このときの対象電池が再使用できること、および当該対象電池の収納先をそれぞれ利用者に示す態様で、設けられた再使用表示部（例えば図１，図２の第１・第２の再使用表記部分３ｄ，３ｅ；図３の第１・第２の再使用レベル表記部分２ｄ，２ｅ，第１・第２の再使用表記部分３ｄ’，３ｅ’；図４の第１・第２の再使用レベル範囲２ｇ，２ｈ，第１・第２の再使用表記部分３ｄ’’，３ｅ’’）と、
前記回収表示部によって特定される部分に設けられた回収電池収納部（例えば後述の回収電池収納部１ｃ，１ｃ’，１ｃ’’）と、
前記再使用表示部によって特定される部分に設けられた再使用電池収納部（例えば後述の第１の再使用電池収納部１ａ，１ａ’，１ａ’’，第２の再使用電池収納部１ｂ，１ｂ’，１ｂ’’）と、
を備えていることを特徴とする電池収納ボックス
（２）上記（１）において、
前記再使用表示部は、前記チェッカー部の出力の大きさの範囲によって区分けされており、
前記再使用電池収納部は、この区分けされた再使用表示部のそれぞれに対応する形で複数設けられている、
ことを特徴とする電池収納ボックス
（３）上記（２）において、
前記再使用電池収納部または前記再使用表示部は、区分けされた再使用表示部に基づいて複数の再使用電池収納部に選択的に入れられる電池の使用対象機器を例示した態様のものである、
ことを特徴とする電池収納ボックス
（４）上記（１）〜（３）において、
前記再使用電池収納部は、電池の入れ部（例えば後述の電池投入口１ｆ，１ｋ）と取出し部（例えば後述の電池取出口１ｇ，１ｍ）とこれらの間の収納空間域を有して、当該入れ部から収納された電池がその収納順に当該取出し部から取り出される形態のものである、
ことを特徴とする電池収納ボックス
（５）上記（３）において、
前記再使用電池収納部は、それぞれ電池の入れ部（例えば図４の電池投入口１ｆ，１ｋ）および取出し部（例えば図４の電池取出口１ｇ，１ｍ）とこれらの間の収納空間域に対する天板部分（例えば図４の第１の天板部分１ｅ，第２の天板部分１ｊ）とを有して、当該入れ部から収納された電池がその収納順に当該取出し部から取り出される形態のものであり、
前記天板部分は、それぞれの表面に、区分けされた前記再使用表示部（例えば図４の第１の再使用表記部分３ｄ’’，第２の再使用表記部分３ｅ’’）を設けるとともに前記使用対象機器を例示した態様のものである、
ことを特徴とする電池収納ボックス
【考案の効果】
【００１７】
本考案では、このように、残容量チェック後の電池の収納域として、再使用できない回収電池の収納部と再使用電池の収納部とを個々に設けるとともに、それぞれの収納部が回収電池，再使用電池のいずれのものであるかを利用者が認識するための表示部分も個々に設けているので、残容量チェック後の電池全体の効率的運用を図ることができる。
【００１８】
また、再使用電池収納部を対象電池の残容量の大きさに応じる形の複数域に区分けし、利用者用表示部分もこの複数域のそれぞれに対応するように設けているので、再使用電池のより一層の効率的利用を図ることができる。
【００１９】
また、再使用電池収納部の複数域またはこれに対応する個々の利用者用表示部分に、当該複数域のそれぞれに収納されるべき（所定の残容量を持つ）電池の使用対象機器（例えば懐中電灯，ひげそり，ラジオ，時計など）を例示しているので、電池再使用に際しての利便性を確保することができる。
【００２０】
また、再使用電池収納部をいわゆる先入れ先出しとなる構造形態にし、先に当該収納部に入れられた再使用電池が長期にわたって放置されることのないようにしているので、再使用電池の未使用状態での容量低下をできるだけ抑えることができる。
【考案を実施するための最良の形態】
【００２１】
図１乃至図４を用いて本考案を実施するための最良の形態を説明する。
【００２２】
ここで、
図１は電池収納部ごとにチェッカー部の出力表示用のＬＥＤを備えた電池収納ボックス（蓋を開けた状態）の斜視図を示し、
図２は図１の電池収納ボックスの一部平面図を示し、
図３はチェッカー部の出力表示用の単一液晶インジゲータを備えた電池収納ボックス（蓋を開けた状態）の一部平面図を示し、
図４は図３の電池収納ボックスを再使用電池の先入れ先だしタイプとした場合の斜視図を示している。
【００２３】
なお、以下のアルファベット付き参照番号が示す構成要素（例えば第１の再使用電池収納部１ａ）は、アルファベットなしの参照番号の構成要素（例えば箱部１）の一部であることを示している。
【００２４】
また、アポストロフィー付きの参照番号が示す構成要素（例えば図３，図４の第１の再使用電池収納部１ａ’，１ａ’’）は、アポストロフィーなしの参照番号の構成要素（例えば図１，図２の第１の再使用電池収納部１ａ）と同種のものであることを示している。
【００２５】
図１および図２において、
１は電池の残容量を測定するチェッカー部や三箇所の電池収納部などからなる箱部，
１ａは残容量が高レベル範囲のまだ十分に使用できる電池を入れるためのもので、底面にはそこへの収納電池の使用対象となる懐中電灯や髭剃りなどの機器が例示されている第１の再使用電池収納部，
１ｂは残容量が中レベル範囲のまだ少し使用できる電池を入れるためのもので、底面にはそこへの収納電池の使用対象となるラジオや時計などの機器が例示されている第２の再使用電池収納部，
１ｃは残容量が低レベル範囲のもう使用できない電池を入れるための回収電池収納部，
１ｄは後述の蓋体４に対するロック作動用の片部，
２は箱部１に保持されて電池残容量（電圧，電流）を測定するチェッカー部，
２ａはケーブル接続された可動の正極側端子，
２ｂは表面部分に設けられた負極側端子，
３は再使用電池収納部１ａ,１ｂおよび回収電池収納部１ｃの各上側部分（＝後述の蓋体４の回動基部に近い方の部分）に形成されて、チェッカー部２の測定結果に基づく分別指示内容などを利用者に認識させるための表示部，
３ａは第１の再使用電池収納部１ａに対応させて設けられた第１のＬＥＤ，
３ｂは第２の再使用電池収納部１ｂに対応させて設けられた第２のＬＥＤ，
３ｃは回収電池収納部１ｃに対応させて設けられた第３のＬＥＤ，
３ｄは第１のＬＥＤ（３ａ）にリンクさせる形で「まだ使えます」と記され、当該文字部分や当該ＬＥＤを包含して第１の再使用電池収納部１ａへの投入指示用の矢印を形成した輪郭線からなる第１の再使用表記部分，
３ｅは第２のＬＥＤ（３ｂ）にリンクさせる形で「少し使えます」と記され、当該文字部分や当該ＬＥＤを包含して第２の再使用電池収納部１ｂへの投入指示用の矢印を形成した輪郭線からなる第２の再使用表記部分，
３ｆは第３のＬＥＤ（３ｃ）にリンクさせる形で「廃棄」と記され、当該文字部分や当該ＬＥＤを包含して回収電池収納部１ｃへの投入指示用の矢印を形成した輪郭線からなる回収表記部分，
４は箱部１に対して回動可能な蓋体，
４ａは当該蓋体を閉じた場合に片部１ｄと係合するロック作動部分，
５は電池，
をそれぞれ示している。
【００２６】
電池をその残容量に応じて電池収納ボックスに整理するには、整理対象の電池５の負極をチェッカー部２の負極側端子２ｂに載せてから、その正極に正極側端子２ａを当接させればよい。
【００２７】
チェッカー部２での測定値は、その大きさに応じて高レベル範囲，中レベル範囲および小レベル範囲の３段階に区分けされる。この区分けは、「1.5Ｖ」の電池の場合で例えば0.8Ｖ以下を小レベル範囲、1.2Ｖ以上を高レベル範囲、その間を中レベル範囲とする。また、
「９Ｖ」の電池の場合で例えば3.6Ｖ以下を小レベル範囲、6.3Ｖ以上を高レベル範囲、その間を中レベル範囲とする。
【００２８】
そして、測定結果が高レベル範囲のときは第１のＬＥＤ（３ａ）が発光し、中レベル範囲のときは第２のＬＥＤ（３ｂ）が発光し、低レベル範囲のときは第３のＬＥＤ（３ｃ）が発光するように設定されている。
【００２９】
利用者は、チェッカー部２で測定した電池５を、発光したＬＥＤやそれが属する再使用表記部分３ａ，３ｂまたは回収表記部分３ｆで指示される再使用電池収納部１ａ，１ｂまたは回収電池収納部１ｃに入れることになる。
【００３０】
例えば第１のＬＥＤ（３ａ）が発光した場合、利用者は、そのときのチェック電池がまだ十分に使えるものと理解して、それを再使用電池収納部１ａに入れる。
【００３１】
このように、チェック部２で測定された電池５はそのときの残容量の大きさ（高レベル範囲，中レベル範囲および小レベル範囲）に応じて箱部１に区分け収納される。
【００３２】
利用者は、この電池収納ボックスの電池を使う場合は勿論、第１，第２の再使用電池収納部１ａ，１ｂに入っているものを取り出して用いる。このとき利用者は、それぞれの収納部に記されている懐中電灯，ひげそり，ラジオ，時計などを参酌して、どちらの収納部の電池を用いるかを決めることができる。なお、回収電池収納部１ｃにたまった電池は所定の廃棄処分の対象となる。
【００３３】
図３の電池収納ボックスと図１，図２のそれとの主な相違点は、
(11)チェッカー部の測定結果を液晶で１８段階表示し、
(12)チェッカー部の測定結果に基づく分別指示内容などを利用者に認識させるための表示部を蓋体の内面部分に形成した、
ことである。
【００３４】
図３で新たに用いる参照番号に関し、
１ａ’は、そこへの収納電池の使用対象となる懐中電灯や髭剃りなどの機器が底面に例示され、また底面上端部分には「まだ使えます」と表記されている第１の再使用電池収納部，
１ｂ’は、そこへの収納電池の使用対象となるラジオや時計などの機器が底面に例示され、また底面上端部分には「少し使えます」と表記されている第２の再使用電池収納部，
１ｃ’は底面上端部分に「廃棄」と表記されている回収電池収納部，
２ｃは１８段階表示タイプの液晶で形成された測定結果表示部，
２ｄは当該測定結果表示部の高レベル６段階に対応する右横範囲に「まだ使えます」と表記されている第１の再使用レベル表記部分，
２ｅは当該測定結果表示部の中レベル８段階に対応する右横範囲に「少し使えます」と表記されている第２の再使用レベル表記部分，
２ｆは当該測定結果表示部の小レベル４段階に対応する右横範囲に「廃棄」と表記されている回収レベル表記部分，
３’は蓋体４の内面下端部分に形成されて、チェッカー部２の測定結果に基づく分別指示内容などを利用者に認識させるための表示部，
３ｄ’は「まだ使えます」と記され、当該文字部分を包含して第１の再使用電池収納部１ａ’への投入指示用の矢印を形成した輪郭線からなる第１の再使用表記部分，
３ｅ’は「少し使えます」と記され、当該文字部分を包含して第２の再使用電池収納部１ｂ’への投入指示用の矢印を形成した輪郭線からなる第２の再使用表記部分，
３ｆ’は「廃棄」と記され、当該文字部分を包含して回収電池収納部１１ｃへの投入指示用の矢印を形成した輪郭線からなる回収表記部分，
をそれぞれ示している。
【００３５】
図３の電池収納ボックスにおけるチェッカー部２の場合、利用者は、１８段階表示の測定結果表示部２ｃの出力がどの段階となっているかを確認し、それが図示のように「まだ使えます」の第１の再使用レベル表記部分２ｄに属するときには（測定した）電池５を、これと同じ文字表記の第１の再使用表記部分３ｄ’で指示される第１の再使用電池収納部１ａ’に入れる。
【００３６】
同様に、測定結果表示部２ｃの出力が「少し使えます」の第２の再使用レベル表記部分２ｅに属するときの（測定した）電池５は第２の再使用電池収納部１ｂ’に入れられ、当該出力が「廃棄」の回収レベル表記部分２ｆに属するときの（測定した）電池５は回収電池収納部１ｃ’に入れられる。
【００３７】
図４の電池収納ボックスと図３のそれとの主な相違点は、
(21)再使用電池収納部に天板部分をその両端側に電池投入口および電池取出口を有する形で設けることにより、この再使用電池収納部を、再使用電池の先入れ先だしタイプの構造とし、
(22)回収電池収納部に天板部分をその上端側に電池投入口を設け、またその下側部分を開閉可能な形にし、
(23)これら天板部分の電池投入口側表面に、チェッカー部の測定結果に基づく分別指示内容などを利用者に認識させるための表示部を形成した、
ことである。
【００３８】
図４で新たに用いる参照番号に関し、
１ａ’’は上記機器の例示や「まだ使えます」の表記などが底面にされていない第１の再使用電池収納部，
１ｂ’’は上記機器の例示や「少し使えます」の表記などが底面にされていない第２の再使用電池収納部，
１ｃ’’は「廃棄」の表記が底面にされている回収電池収納部，
１ｅは第１の再使用電池収納部１ａ’’に対応して上述の懐中電灯や髭剃りなどの機器が表面に例示された第１の天板部分，
１ｆは当該第１の天板部分の一方の端部（蓋体の回動基部に近い側の端部）に続く電池投入口（開口部），
１ｇは当該第１の天板部分の他方の端部に続く電池取出口（開口部），
１ｈは電池取出口１ｇから利用者が再使用電池を取り出すときに指などを入れることができるように当該第１の天板部分の他方の端部中央に形成された凹状開口域，
１ｊは第２の再使用電池収納部１ｂ’’に対応して上述のラジオや時計などの機器が表面に例示された第２の天板部分，
１ｋは当該第２の天板部分の一方の端部（蓋体の回動基部に近い側の端部）に続く電池投入口（開口部），
１ｍは当該第２の天板部分の他方の端部に続く電池取出口（開口部），
１ｎは電池取出口１ｍから利用者が再使用電池を取り出すときに指などを入れることができるように当該第２の天板部分の他方の端部中央に形成された凹状開口域，
１ｐは回収電池収納部１ｃ’’に対する第３の天板部分，
１ｑは当該第３の天板部分の一方の端部（蓋体の回動基部に近い側の端部）に続く電池投入口（開口部），
１ｒは当該第３の天板部分の他方側からなり回動可能な蓋部として作用するカバー体，
１ｓは利用者が回収電池収納部１ｃ’’の電池をボックス外に出そうとして当該カバー体を開く場合に指などを入れることができるように形成された孔部，
２ｇは測定結果表示部２ｃの高レベル６段階に対応する右横の第１の再使用レベル範囲，
２ｈは測定結果表示部２ｃの中レベル８段階に対応する右横の第２の再使用レベル範囲，
２ｊは測定結果表示部２ｃの小レベル４段階に対応する右横の回収レベル範囲，
３’’は第１〜第３の天板部分１ｅ，１ｊ，１ｐの各電池投入側の表面端部分に形成されて、チェッカー部２の測定結果に基づく分別指示内容を利用者に認識させるための表示部，
３ｄ’’は「まだ使えます」の文字と、第１の再使用電池収納部１ａ’’への投入指示用であって第１の再使用レベル範囲２ｇから続く矢印とを持つ第１の再使用表記部分，
３ｅ’’は「少し使えます」の文字と、第２の再使用電池収納部１ｂ’’への投入指示用であって第２の再使用レベル範囲２ｈから続く矢印とを持つ第２の再使用表記部分，
３ｆ’’は「廃棄」の文字と、回収電池収納部１ｃ’’への投入指示用であって回収レベル範囲２ｊから続く矢印とを持つ回収表記部分，
をそれぞれ示している。
【００３９】
なお、第１の再使用電池収納部１ａ’’，第２の再使用電池収納部１ｂ’’および回収電池収納部１ｃ’’の各底面部分はそれぞれの電池投入口からその反対側の電池取出口などの方への下り傾斜に設定されている。そのため、これらの電池投入口から入れられた円柱状電池はそれぞれ電池取出口などの方へ転がっていく。
【００４０】
図４の電池収納ボックスにおけるチェッカー部２の場合も、利用者は、図３のときと同じように１８段階表示の測定結果表示部２ｃの出力がどの段階となっているかを確認し、それが図示のように第１の再使用レベル範囲２ｇに属するときには（測定した）電池５を横長状態にして、当該範囲からの矢印および「まだ使えます」の文字が記された第１の再使用表記部分３ｄ’’で指示される電池投入口１ｆから第１の再使用電池収納部１ａ’’に入れる。
【００４１】
同様に、測定結果表示部２ｃの出力が第２の再使用レベル範囲２ｈに属するときの（測定した）電池５はその横長状態で電池投入口１ｋから第２の再使用電池収納部１ｂ’’に入れられ、当該出力が回収レベル範囲２ｊに属するときの（測定した）電池５はその横長状態で電池投入口１ｑから回収電池収納部１ｃ’’に入れられる。
【００４２】
これらの各投入口から入れられた円柱状の電池５はそれぞれの電池収納部の底面の下り傾斜によって投入口とは反対の方（再使用電池収納部１ａ’’，１ｂ’’ではそれぞれの電池取出口１ｇ，１ｍの方）に転がっていく。
【００４３】
すなわち、再使用電池収納部１ａ’’，１ｂ’’の各投入口に円柱状の電池５を複数入れた場合、それらの電池は、当該収納部分に入れられた順番で電池取出口１ｇ，１ｍの側を先頭にして収納部ごとに整列した状態になる。
【００４４】
したがって利用者が再使用電池収納部１ａ’’，１ｂ’’の電池を電池取出口１ｇ，１ｍから取り出して各種電機機器に使用する場合、無意識に、この収納部に早くから入っている電池を用いることになる。これにより、再使用電池が収納部１ａ’’，１ｂ’’で保管されることによってその残容量が自然低下する程度を少なくしている。
【００４５】
電池取出口１ｇ，１ｍから再使用電池収納部１ａ’’，１ｂ’’の電池を取り出すには、上述したように、それぞれの天板部分１ｅ，１ｊの凹状開口域１ｈ，１ｎに例えば指を入れて当該電池を引き出すようにすればよい。
【００４６】
また、回収電池収納部１ｃ’’に入っている電池を取り出す場合には、孔部１ｓに例えば指を入れてカバー体１ｒを持ち上げればよい。
【００４７】
なお、箱部１や蓋体４の材質は任意であり、例えばナイロン，ポリアセタール，ポリエチレン，ポリプロピレン，ポリエチレンテレフタレート，ポリブエチレンテレフタレート，ＮＢＲ，ネオプレン，ブチルゴムなどの各種合成樹脂製のもの（透明，半透明，色付きの不透明のもの）や、木製のものを用いる。
【００４８】
本考案が、図１〜図４に係る電池収納ボックスに限定されないことは勿論である。
例えば、
(31)少なくとも再使用電池収納部１ａ，１ｂ，１ａ’，１ｂ’を起立状態の電池を保持できる形態のものにする、例えば収納部底面にそれぞれが１個の電池を受けて保持するための凹状部を複数設けたり、収納部の所定の高さ部分にそれぞれが１個の電池を保持する枠単位からなる格子状部材を設けたりする、
(32)再使用電池収納部１ａ，１ｂ，１ａ’，１ｂ’に選択的に入れられる電池の使用対象機器を、第１・第２の再使用表記部分３ｄ，３ｄ’，３ｄ’’，３ｅ，３ｅ’，３ｅ’’に例示する、
(33)チェッカー部２の測定出力を針式メータで表示する、
(34)測定結果表示部２ｃをＬＥＤで構成する、
(35)表示部３，３’，３’’の全体または、その文字部分や矢印部分を液晶表示とする、
(36)再使用電池収納部１ａ，１ｂ，１ａ’，１ｂ’，１ａ’’，１ｂ’’および回収電池収納部１ｃ，１ｃ’，１ｃ’’をそれぞれ引出しタイプのものとし、電池収納ボックス全体としては一段または複数段の収納部（引き出し）からなり蓋体４の部分をその閉じた状態の天板形態などとして、当該ボックス同士を積み重ねることができる、
ようにしてもよい。
【図面の簡単な説明】
【００４９】
【図１】電池収納部ごとにチェッカー部の出力表示用のＬＥＤを備えた電池収納ボックス（蓋を開けた状態）の斜視図を示している。
【図２】図１の電池収納ボックスの一部平面図を示している。
【図３】チェッカー部の出力表示用の単一液晶インジゲータを備えた電池収納ボックス（蓋を開けた状態）の一部平面図を示している。
【図４】図３の電池収納ボックスを再使用電池の先入れ先だしタイプとした場合の斜視図を示している。
【符号の説明】
【００５０】
１：箱部
１ａ，１ａ’，１ａ’’：第１の再使用電池収納部
１ｂ，１ｂ’，１ｂ’’：第２の再使用電池収納部
１ｃ，１ｃ’，１ｃ’’：回収電池収納部
１ｄ：ロック作動用の片部
１ｅ：第１の天板部分
１ｆ：電池投入口（開口部）
１ｇ：電池取出口（開口部）
１ｈ：凹状開口域
１ｊ：第２の天板部分
１ｋ：電池投入口（開口部）
１ｍ：電池取出口（開口部）
１ｎ：凹状開口域
１ｐ：第３の天板部分
１ｑ：電池投入口（開口部）
１ｒ：カバー体
１ｓ：孔部
２：チェッカー部
２ａ：正極側端子
２ｂ：負極側端子
２ｃ：測定結果表示部
２ｄ：第１の再使用レベル表記部分
２ｅ：第２の再使用レベル表記部分
２ｆ：回収レベル表記部分
２ｇ：第１の再使用レベル範囲
２ｈ：第２の再使用レベル範囲
２ｊ：回収レベル範囲
３，３’，３’’：表示部
３ａ：第１のＬＥＤ
３ｂ：第２のＬＥＤ
３ｃ：第３のＬＥＤ
３ｄ，３ｄ’，３ｄ’’：第１の再使用表記部分
３ｅ，３ｅ’，３ｅ’’：第２の再使用表記部分
３ｆ，３ｆ’，３ｆ’’：回収表記部分
４：蓋体
４ａ：ロック作動部分
５：電池
【図１】
0003125337.tif 000003
【図２】
0003125337.tif 000004
【図３】
0003125337.tif 000005
【図４】
0003125337.tif 000006